【手続補正書】
【提出日】平成19年5月17日(2007.5.17)
【手続補正１】
【補正対象書類名】特許請求の範囲
【補正対象項目名】全文
【補正方法】変更
【補正の内容】
【特許請求の範囲】
【請求項１】
酸成分、グリコール成分、および酸成分１００モル％を基準にして０〜約５．０モルパーセントの、官能性酸、グリコール、またはその混合物から選択される多官能性分枝剤を含むスルホン化脂肪族−芳香族コポリエーテルエステルであって、
前記酸成分が
ａ．全酸成分１００モルパーセントを基準にして９７．９５〜２０．０モルパーセントの芳香族ジカルボン酸成分と、
ｂ．全酸成分１００モルパーセントを基準にして２．０〜７９．９５モルパーセントの脂肪族ジカルボン酸成分と、
ｃ．全酸成分１００モルパーセントを基準にして０．０５〜０．７５モルパーセントのスルホネート成分と
を含み、
前記グリコール成分が
ａ．全グリコール成分１００モルパーセントを基準にして１００〜９５．０モルパーセントの第１のグリコール成分としてのエチレングリコールと、
ｂ．全グリコール成分１００モルパーセントを基準にして０〜５．０モルパーセントの１つまたは複数の第２のグリコール成分と
を含み、
任意選択的に、スルホン化脂肪族−芳香族コポリエステルと充填剤を合わせた全重量を基準にして７５重量パーセントまでの１つまたは複数の充填剤、好ましくは、無機充填剤、有機充填剤、および粘土充填剤を含み、
スルホン化脂肪族−芳香族コポリエステルが、好ましくは生分解性であることを特徴とするスルホン化脂肪族−芳香族コポリエーテルエステル。
【請求項２】
前記芳香族ジカルボン酸成分が、テレフタル酸、テレフタル酸ジメチル、イソフタル酸、イソフタル酸ジメチル、２，６−ナフタレンジカルボン酸、２，６−ナフタル酸ジメチル、およびその混合物からなる群から選択されることを特徴とする請求項１に記載のスルホン化脂肪族−芳香族コポリエステル。
【請求項３】
前記脂肪族ジカルボン酸成分が、コハク酸、コハク酸ジメチル、グルタル酸、グルタル酸ジメチル、アジピン酸、アジピン酸ジメチル、およびその混合物からなる群から選択されることを特徴とする請求項１に記載のスルホン化脂肪族−芳香族コポリエステル。
【請求項４】
前記スルホネート基が５−スルホイソフタル酸ジメチルのナトリウム塩を含むことを特徴とする請求項１に記載のスルホン化脂肪族−芳香族コポリエステル。
【請求項５】
内部粘度が少なくとも０．１５ｄＬ／ｇ、または少なくとも０．３５ｄＬ／ｇ、または少なくとも０．６５ｄＬ／ｇであることを特徴とする請求項１に記載のスルホン化脂肪族−芳香族コポリエステル。
【請求項６】
１モルパーセント以下の前記分枝剤を含むことを特徴とする請求項１に記載のスルホン化脂肪族−芳香族コポリエステル。
【請求項７】
前記分枝剤が、１，２，４−ベンゼントリカルボン酸（トリメリット酸）、１，２，４−ベンゼントリカルボン酸トリメチル、１，２，４−ベンゼントリカルボン酸トリス（２−ヒドロキシエチル）、１，２，４−ベンゼントリカルボン酸無水物（無水トリメリット酸）、１，３，５−ベンゼントリカルボン酸、１，２，４，５−ベンゼンテトラカルボン酸（ピロメリット酸）、１，２，４，５−ベンゼンテトラカルボン酸二無水物（無水ピロメリット酸）、ペンタエリトリトール、グリセロール、およびその混合物からなる群から選択されることを特徴とする請求項１に記載のスルホン化脂肪族−芳香族コポリエステル。
【請求項８】
前記無機充填剤が、炭酸カルシウム、二酸化チタン、シリカ、タルク、硫酸バリウム、ガラスビーズ、ガラス繊維、カーボンブラック、セラミック、チョーク、およびその混合物からなる群から選択され、前記有機充填剤が、天然デンプン、変性デンプン、化学変性デンプン、コメデンプン、コーンスターチ、木粉、セルロース、およびその混合物からなる群から選択され、前記粘土充填剤が、天然粘土、合成粘土、処理粘土、非処理粘土、有機粘土、スメクタイト粘土、ベントナイト粘土、ヘクトライト粘土、ウォラストナイト粘土、モンモリロナイト粘土、カオリン、およびその混合物からなる群から選択されることを特徴とする請求項１に記載のスルホン化脂肪族−芳香族コポリエステル。
【請求項９】
請求項１に記載のスルホン化脂肪族−芳香族コポリエステルから形成されたフィルム、一軸配向フィルム、二軸配向フィルム、ラミネートおよびコーティングからなる群から選択されることを特徴とする造形品。
【請求項１０】
コポリエステルと充填剤を合わせた全重量を基準にして３重量パーセント〜４０重量パーセントの前記充填剤を含み、前記充填剤が第１組の粒子および第２組の粒子の空間充填用混合物を含み、前記第１組の粒子が５ミクロン以上の平均粒径を有し、前記第２組の粒子が０．７ミクロン以下の平均粒径を有することを特徴とする請求項９に記載の二軸配向されたフィルム。
【請求項１１】
９５．０〜５．０重量パーセントの請求項１に記載のスルホン化脂肪族−芳香族コポリエステル、５．０〜９５．０重量パーセントのポリマー材料、好ましくは生分解性材料、非生分解性材料、天然由来材料、変性天然由来材料、合成材料、およびその混合物を含むブレンドを含むことを特徴とするフィルム。
【請求項１２】
前記生分解性材料が、ポリ（アルカノエート）、脂肪族ポリエステル、脂肪族−芳香族ポリエステル、脂肪族−芳香族ポリエーテルエステル、脂肪族−芳香族ポリアミドエステル、スルホン化脂肪族−芳香族ポリエステル、スルホン化脂肪族−芳香族ポリエーテルエステル、熱可塑性デンプン、およびその混合物からなる群から選択されることを特徴とする請求項１１に記載のフィルム。
【請求項１３】
基材、好ましくは紙、板紙、無機フォーム、有機フォーム、および無機−有機フォーム、ならびにその上に積層させた請求項１に記載のスルホン化脂肪族−芳香族コポリエステルを含み、前記充填剤が第１組の粒子および第２組の粒子の空間充填用混合物を含み、前記第１組の粒子が５ミクロン以上の平均粒径を有し、前記第２組の粒子が０．７ミクロン以下の平均粒径を有することを特徴とする物品。
【請求項１４】
９７．９５〜２０．０モルパーセントの芳香族ジカルボン酸成分、２．０〜７９．９５モルパーセントの脂肪族ジカルボン酸成分、０．０５〜０．７５モルパーセントのスルホネート成分、１００．０〜９５．０モルパーセントのエチレングリコール、０〜５．０モルパーセントの第２のグリコール成分、および０〜５．０モルパーセントの多官能性分枝剤を含むスルホン化脂肪族−芳香族コポリエステル、ならびに１つまたは複数の他のポリマー材料を含むことを特徴とするブレンド。
【請求項１５】
前記ポリマー材料が、デンプン、化学変性デンプン、熱可塑性デンプン、脂肪族ポリエステル、ポリ（アルカノエート）、脂肪族−芳香族コポリエステル、およびスルホン化脂肪族−芳香族コポリエステルからなる群から選択される生分解性材料、またはポリエステル、エチレンコポリマー、ポリオレフィン、およびポリアミドからなる群から選択される非生分解性材料であることを特徴とする請求項１４に記載のブレンド。
【請求項１６】
請求項１に記載のスルホン化脂肪族−芳香族コポリエステルを含むことを特徴とする食品パッケージ。
【請求項１７】
請求項１に記載のスルホン化脂肪族−芳香族コポリエステルを含み、好ましくは０．２５ｍｍ〜２５ｍｍの厚さを有することを特徴とするシート。
【請求項１８】
請求項１に記載のスルホン化脂肪族−芳香族コポリエステルを含み、０．１〜１００、または０．５〜２０、または０．７〜１０のデニールを有することを特徴とする繊維。
【請求項１９】
請求項１に記載のスルホン化脂肪族−芳香族コポリエステルを含む繊維、および少なくとも１つの他の繊維を含むことを特徴とする不均質繊維組成物。
【請求項２０】
紙、板紙、無機フォーム、有機フォーム、および無機−有機フォームからなる群から選択される基材を提供する工程と、前記基材を所望のパッケージ形態に形成する工程と、請求項１に記載のスルホン化脂肪族−芳香族コポリエステルを提供する工程と、前記基材を前記スルホン化脂肪族−芳香族コポリエステルで積層またはコートして、前記パッケージを形成する工程とを含むことを特徴とするパッケージの生成方法。
【請求項２１】
基材と、請求項１に記載のスルホン化脂肪族−芳香族コポリエステルを含む積層されたフィルムとを含むことを特徴とするパッケージ。
【請求項２２】
前記パッケージが、ラッパー、ストレッチラップフィルム、バッグ、カップ、トレー、カートン、箱、ボトル、クレート、包装フィルム、ブリスターパックラッパー、スキンパック、および蝶番式容器からなる群から選択されることを特徴とする請求項２０または２１に記載のパッケージ。
【請求項２３】
前記基材が、紙、板紙、無機フォーム、有機フォーム、および無機−有機フォームからなる群から選択されることを特徴とする請求項２１に記載のパッケージ。
【請求項２４】
前記充填剤が、第１組の粒子および第２組の粒子の混合物を含み、前記第１組の粒子が約５ミクロン以上の平均粒径を有し、前記第２組の粒子が約０．７ミクロン以下の平均粒径を有することを特徴とする請求項２２に記載のパッケージ。
【手続補正２】
【補正対象書類名】明細書
【補正対象項目名】０１５８
【補正方法】変更
【補正の内容】
【０１５８】
上記に記述するように、発泡可能なポリエステル組成物は、広範囲の添加剤、充填剤を含むことができ、あるいは他の材料とブレンドすることができる。生分解性フォームでは、セルロース、化学的に改質したセルロースなどのセルロース誘導体、デンプン、および化学変性デンプンや熱可塑性デンプンなどのデンプン誘導体の添加が特に好ましい。
以下に、本発明の好ましい態様を示す。
［１］  酸成分、グリコール成分、および酸成分１００モル％を基準にして０〜約５．０モルパーセントの、多官能性酸、グリコール、またはその混合物から選択される多官能性分枝剤を含むスルホン化脂肪族−芳香族コポリエーテルエステルであって、
前記酸成分が
ａ．全酸成分１００モルパーセントを基準にして約９７．９５〜約２０．０モルパーセントの芳香族ジカルボン酸成分と、
ｂ．全酸成分１００モルパーセントを基準にして約２．０〜約７９．９５モルパーセントの脂肪族ジカルボン酸成分と、
ｃ．全酸成分１００モルパーセントを基準にして約０．０５〜約０．７５モルパーセントのスルホネート成分と
を含み、
前記グリコール成分が
ａ．全グリコール成分１００モルパーセントを基準にして約１００〜約９５．０モルパーセントの第１のグリコール成分としてのエチレングリコールと、
ｂ．全グリコール成分１００モルパーセントを基準にして０〜約５．０モルパーセントの１つまたは複数の第２のグリコール成分とを含むことを特徴とするスルホン化脂肪族−芳香族コポリエーテルエステル。
［２］  １つまたは複数の充填剤をさらに含むことを特徴とする［１］に記載のスルホン化脂肪族−芳香族コポリエステル。
［３］  スルホン化脂肪族−芳香族コポリエステルと充填剤とを合わせた全重量を基準にして、約７５重量パーセントまでの前記充填剤を含むことを特徴とする［２］に記載のスルホン化脂肪族−芳香族コポリエステル。
［４］  ［１］に記載されていることを特徴とする生分解性スルホン化脂肪族−芳香族コポリエステル。
［５］  ［１］に記載のスルホン化脂肪族−芳香族コポリエステルから形成されることを特徴とする造形品。
［６］  フィルム、配向フィルム、ラミネート、およびコーティングからなる群から選択されることを特徴とする［５］に記載の造形品。
［７］  ［１］に記載のスルホン化脂肪族−芳香族コポリエステルから形成されることを特徴とするフィルム。
［８］  ［７］に記載されていることを特徴とする配向フィルム。
［９］  ［７］に記載されていることを特徴とする二軸配向フィルム。
［１０］  前記フィルムが充填剤をさらに含むことを特徴とする［７］に記載のフィルム。
［１１］  コポリエステルと充填剤とを合わせた全重量を基準にして約３重量パーセント〜約４０重量パーセントの前記充填剤を含むことを特徴とする［１０］に記載のフィルム。
［１２］  前記充填剤が、第１組の粒子および第２組の粒子の空間充填用混合物を含み、前記第１組の粒子が約５ミクロン以上の平均粒径を有し、前記第２組の粒子が約０．７ミクロン以下の平均粒径を有することを特徴とする［１０］に記載のフィルム。
［１３］  前記充填剤が無機充填剤、有機充填剤、および粘土充填剤からなる群から選択されることを特徴とする［１０］に記載のフィルム。
［１４］  前記無機充填剤が、炭酸カルシウム、二酸化チタン、シリカ、タルク、硫酸バリウム、ガラスビーズ、ガラス繊維、カーボンブラック、セラミック、チョーク、およびその混合物からなる群から選択されることを特徴とする［１３］に記載のフィルム。
［１５］  前記有機充填剤が、天然デンプン、変性デンプン、化学変性デンプン、コメデンプン、コーンスターチ、木粉、セルロース、およびその混合物からなる群から選択されることを特徴とする［１３］に記載のフィルム。
［１６］  前記粘土充填剤が、天然粘土、合成粘土、処理粘土、非処理粘土、有機粘土、スメクタイト粘土、ベントナイト粘土、ヘクトライト粘土、ウォラストナイト粘土、モンモリロナイト粘土、カオリン、およびその混合物からなる群から選択されることを特徴とする［１３］に記載のフィルム。
［１７］  約９５．０〜約５．０重量パーセントの［１］に記載のスルホン化脂肪族−芳香族コポリエステル、および約５．０〜約９５．０重量パーセントのポリマー材料を含むブレンドを含むことを特徴とするフィルム。
［１８］  前記ポリマー材料が、生分解性材料、非生分解性材料、天然由来材料、変性天然由来材料、合成材料、およびその混合物からなる群から選択されることを特徴とする［１７］に記載のフィルム。
［１９］  前記ポリマー材料が生分解性材料であることを特徴とする［１８］に記載のフィルム。
［２０］  前記生分解性材料が、ポリ（アルカノエート）、脂肪族ポリエステル、脂肪族−芳香族ポリエステル、脂肪族−芳香族ポリエーテルエステル、脂肪族−芳香族ポリアミドエステル、スルホン化脂肪族−芳香族ポリエステル、スルホン化脂肪族−芳香族ポリエーテルエステル、熱可塑性デンプン、およびその混合物からなる群から選択されることを特徴とする［１９］に記載のフィルム。
［２１］  前記ポリマー材料が非生分解性材料であることを特徴とする［１８］に記載のフィルム。
［２２］  充填剤をさらに含むことを特徴とする［１７］に記載のフィルム。
［２３］  前記充填剤が第１組の粒子および第２組の粒子の空間充填用混合物を含み、前記第１組の粒子が約５ミクロン以上の平均粒径を有し、前記第２組の粒子が約０．７ミクロン以下の平均粒径を有することを特徴とする［２２］に記載のフィルム。
［２４］  前記充填剤が、無機充填剤、有機充填剤、および粘土充填剤からなる群から選択されることを特徴とする［２２］に記載のフィルム。
［２５］  前記無機充填剤が、炭酸カルシウム、二酸化チタン、シリカ、タルク、硫酸バリウム、ガラスビーズ、ガラス繊維、カーボンブラック、セラミック、チョーク、およびその混合物からなる群から選択されることを特徴とする［２４］に記載のフィルム。
［２６］  前記有機充填剤が、天然デンプン、変性デンプン、化学変性デンプン、コメデンプン、コーンスターチ、木粉、セルロース、およびその混合物からなる群から選択されることを特徴とする［２４］に記載のフィルム。
［２７］  前記粘土充填剤が、天然粘土、合成粘土、処理粘土、非処理粘土、有機粘土、スメクタイト粘土、ベントナイト粘土、ヘクトライト粘土、ウォラストナイト粘土、モンモリロナイト粘土、カオリン、およびその混合物からなる群から選択されることを特徴とする［２４］に記載のフィルム。
［２８］  基材、およびその上に積層された［１］に記載のスルホン化脂肪族−芳香族コポリエステルを含むことを特徴とする物品。
［２９］  前記基材が、紙、板紙、無機フォーム、有機フォーム、および無機−有機フォームからなる群から選択されることを特徴とする［２８］に記載の物品。
［３０］  前記スルホン化脂肪族−芳香族コポリエステルが、充填剤をさらに含むことを特徴とする［２８］に記載の物品。
［３１］  前記充填剤が、第１組の粒子および第２組の粒子の空間充填用混合物を含み、前記第１組の粒子が約５ミクロン以上の平均粒径を有し、前記第２組の粒子が約０．７ミクロン以下の平均粒径を有することを特徴とする［３０］に記載の物品。
［３２］  基材を含む物品であって、前記基材が、その上に［１］に記載のスルホン化脂肪族−芳香族コポリエステルを含むコーティングを有することを特徴とする物品。
［３３］  前記コーティングを、溶液、分散液、ラテックス、または乳濁液キャスティング、粉体塗装、および押出からなる群から選択される方法によって塗布することを特徴とする［３２］に記載の物品。
［３４］  前記基材が、紙、板紙、金属、板紙、無機フォーム、有機フォーム、および無機−有機フォームからなる群から選択される材料を含むことを特徴とする［３２］に記載の物品。
［３５］  前記スルホン化脂肪族−芳香族コポリエステルが充填剤をさらに含むことを特徴とする［２８］に記載の物品。
［３６］  前記充填剤が、第１組の粒子および第２組の粒子の空間充填用混合物を含み、前記第１組の粒子が約５ミクロン以上の平均粒径を有し、前記第２組の粒子が約０．７ミクロン以下の平均粒径を有することを特徴とする［３５］に記載の物品。
［３７］  約９７．９５〜約２０．０モルパーセントの芳香族ジカルボン酸成分、約２．０〜約７９．９５モルパーセントの脂肪族ジカルボン酸成分、約０．０５〜約０．７５モルパーセントのスルホネート成分、約１００．０〜約９５．０モルパーセントのエチレングリコール、０〜約５．０モルパーセントの第２のグリコール成分、および０〜約５．０モルパーセントの多官能性分枝剤を含むスルホン化脂肪族−芳香族コポリエステル、ならびに１つまたは複数の他のポリマー材料を含むことを特徴とするブレンド。
［３８］  前記ポリマー材料が生分解性であることを特徴とする［３７］に記載のブレンド。
［３９］  前記生分解性ポリマー材料が、デンプン、化学変性デンプン、熱可塑性デンプン、脂肪族ポリエステル、ポリ（アルカノエート）、脂肪族−芳香族コポリエステル、およびスルホン化脂肪族−芳香族コポリエステルからなる群から選択されることを特徴とする［３８］に記載のブレンド。
［４０］  前記ポリマー材料が非生分解性であることを特徴とする［３７］に記載のブレンド。
［４１］  前記非生分解性ポリマー材料が、ポリエステル、エチレンコポリマー、ポリオレフィン、およびポリアミドからなる群から選択されることを特徴とする［４０］に記載のブレンド。
［４２］  約８０〜約５０モルパーセントの前記芳香族ジカルボン酸成分を含むことを特徴とする［１］に記載のスルホン化脂肪族−芳香族コポリエステル。
［４３］  前記芳香族ジカルボン酸成分が、テレフタル酸、テレフタル酸ジメチル、イソフタル酸、イソフタル酸ジメチル、２，６−ナフタレンジカルボン酸、２，６−ナフタル酸ジメチル、およびその混合物からなる群から選択されることを特徴とする［１］に記載のスルホン化脂肪族−芳香族コポリエステル。
［４４］  約２０〜約５０モルパーセントの脂肪族ジカルボン酸成分を含むことを特徴とする［１］に記載のスルホン化脂肪族−芳香族コポリエステル。
［４５］  前記脂肪族ジカルボン酸成分が、コハク酸、コハク酸ジメチル、グルタル酸、グルタル酸ジメチル、アジピン酸、アジピン酸ジメチル、およびその混合物からなる群から選択されることを特徴とする［１］に記載のスルホン化脂肪族−芳香族コポリエステル。
［４６］  約０．１〜０．７５モルパーセントの前記スルホネート基を含むことを特徴とする［１］に記載のスルホン化脂肪族−芳香族コポリエステル。
［４７］  前記スルホネート基が５−スルホイソフタル酸ジメチルのナトリウム塩を含むことを特徴とする［１］に記載のスルホン化脂肪族−芳香族コポリエステル。
［４８］  少なくとも約０．１５ｄＬ／ｇの内部粘度を有することを特徴とする［１］に記載のスルホン化脂肪族−芳香族コポリエステル。
［４９］  少なくとも約０．３５ｄＬ／ｇの内部粘度を有することを特徴とする［１］に記載のスルホン化脂肪族−芳香族コポリエステル。
［５０］  少なくとも約０．６５ｄＬ／ｇの内部粘度を有することを特徴とする［１］に記載のスルホン化脂肪族−芳香族コポリエステル。
［５１］  約１モルパーセント以下の前記分枝剤を含むことを特徴とする［１］に記載のスルホン化脂肪族−芳香族コポリエステル。
［５２］  前記分枝剤が、１，２，４−ベンゼントリカルボン酸（トリメリット酸）、１，２，４−ベンゼントリカルボン酸トリメチル、１，２，４−ベンゼントリカルボン酸トリス（２−ヒドロキシエチル）、１，２，４−ベンゼントリカルボン酸無水物（無水トリメリット酸）、１，３，５−ベンゼントリカルボン酸、１，２，４，５−ベンゼンテトラカルボン酸（ピロメリット酸）、１，２，４，５−ベンゼンテトラカルボン酸二無水物（無水ピロメリット酸）、ペンタエリトリトール、グリセロール、およびその混合物からなる群から選択されることを特徴とする［１］に記載のスルホン化脂肪族−芳香族ポリエステル。
［５３］  前記充填剤が、第１組の粒子および第２組の粒子を含み、前記第２組の粒子が前記第１組の粒子の平均直径の少なくとも約２倍の平均直径を有することを特徴とする［１０］に記載のスルホン化脂肪族−芳香族ポリエステル。
［５４］  前記充填剤が、約２０ミクロン未満の平均直径を有する粒子から本質的になることを特徴とする［１０］に記載のスルホン化脂肪族−芳香族ポリエステル。
［５５］  ［１］に記載のスルホン化脂肪族−芳香族コポリエステルを含むことを特徴とする食品パッケージ。
［５６］  ［１］に記載のスルホン化脂肪族−芳香族コポリエステルを含むことを特徴とするシート。
［５７］  約０．２５ｍｍ〜約２５ｍｍの厚さを有することを特徴とする［５６］に記載のシート。
［５８］  ［１］に記載のスルホン化脂肪族−芳香族コポリエステルを含むことを特徴とする繊維。
［５９］  約０．１〜約１００のデニールを有することを特徴とする［５８］に記載の繊維。
［６０］  約０．５〜約２０のデニールを有することを特徴とする［５８］に記載の繊維。
［６１］  約０．７〜約１０のデニールを有することを特徴とする［５８］に記載の繊維。
［６２］  ［１］に記載のスルホン化脂肪族−芳香族コポリエステル、および少なくとも１つの他の繊維を含む繊維を含むことを特徴とする不均質繊維組成物。
［６３］  基材を提供する工程と、前記基材を所望のパッケージ形態に形成する工程と、［１］に記載のスルホン化脂肪族−芳香族コポリエステルを提供する工程と、前記基材を前記スルホン化脂肪族−芳香族コポリエステルで積層またはコートして、前記パッケージを形成する工程とを含むことを特徴とするパッケージの生成方法。
［６４］  前記基材が、紙、板紙、無機フォーム、有機フォーム、および無機−有機フォームからなる群から選択される材料を含むことを特徴とする［６３］に記載の方法。
［６５］  前記パッケージ形態が、ラッパー、ストレッチラップフィルム、バッグ、カップ、トレー、カートン、箱、ボトル、クレート、包装フィルム、ブリスターパックラッパー、スキンパック、および蝶番式容器からなる群から選択されることを特徴とする［６３］に記載の方法。
［６６］  基材と、［１］に記載のスルホン化脂肪族−芳香族コポリエステルを含むフィルムとを含むことを特徴とするパッケージ。
［６７］  前記パッケージが、ラッパー、ストレッチラップフィルム、バッグ、カップ、トレー、カートン、箱、ボトル、クレート、包装フィルム、ブリスターパックラッパー、スキンパック、および蝶番式容器からなる群から選択されることを特徴とする［６６］に記載のパッケージ。
［６８］  前記フィルムを前記基材上に積層することを特徴とする［６６］に記載のパッケージ。
［６９］  前記基材が、紙、板紙、無機フォーム、有機フォーム、および無機−有機フォームからなる群から選択されることを特徴とする［６６］に記載のパッケージ。
［７０］  前記パッケージが、前記フィルムによってコートされた基材を含むことを特徴とする［６６］に記載のパッケージ。
［７１］  前記基材が、紙、板紙、無機フォーム、有機フォーム、および無機−有機フォームからなる群から選択されることを特徴とする［７０］に記載のパッケージ。
［７２］  前記フィルムが一軸配向されていることを特徴とする［６６］に記載のパッケージ。
［７３］  前記フィルムが二軸配向されていることを特徴とする［６６］に記載のパッケージ。
［７４］  前記スルホン化脂肪族−芳香族コポリエステルが充填剤を含むことを特徴とする［６６］に記載のパッケージ。
［７５］  前記充填剤が、第１組の粒子および第２組の粒子の混合物を含み、前記第１組の粒子が約５ミクロン以上の平均粒径を有し、前記第２組の粒子が約０．７ミクロン以下の平均粒径を有することを特徴とする［７４］に記載のパッケージ。
［７６］  前記充填剤が、無機充填剤、有機充填剤、および粘土充填剤からなる群から選択されることを特徴とする［７５］に記載のパッケージ。
［７７］  前記無機充填剤が、炭酸カルシウム、二酸化チタン、シリカ、タルク、硫酸バリウム、ガラスビーズ、ガラス繊維、カーボンブラック、セラミック、チョーク、およびその混合物からなる群から選択されることを特徴とする［７６］に記載のパッケージ。
［７８］  前記有機充填剤が、天然デンプン、変性デンプン、化学変性デンプン、コメデンプン、コーンスターチ、木粉、セルロース、およびその混合物からなる群から選択されることを特徴とする［７６］に記載のパッケージ。
［７９］  前記粘土充填剤が、天然粘土、合成粘土、処理粘土、非処理粘土、有機粘土、スメクタイト粘土、ベントナイト粘土、ヘクトライト粘土、ウォラストナイト粘土、モンモリロナイト粘土、カオリン、およびその混合物からなる群から選択されることを特徴とする［７６］に記載のパッケージ。